(57)【要約】【課題】アーム型、及びポール型のいずれのタイプの支柱であっても、共通の支持部材を用いて角度調整可能に取り付けられる照明器具を提供すること。【解決手段】クランプ５を器具本体１０に収めた照明器具１において、前記クランプ５は、前記器具本体１０に固定される固定片５２を備え、前記器具本体１０の内には、後端面６３から底面６５に亘って延び、固定片５２がスライド移動する係合面５８が設けられ、前記固定片５２、及び前記係合面５８が器具本体１０の外側に凸形状の円弧状である。【選択図】図４
2018137045.tif 000002
【特許請求の範囲】
【請求項１】
支柱の先端部に取り付けられる支持部材と、前記支持部材に支持される器具本体と、を有し、前記支持部材を前記器具本体に収めた照明器具において、
前記支持部材は、前記器具本体に固定される固定片を備え、
前記器具本体の内には、前記器具本体の後端面から底面に亘って延び、前記固定片がスライド移動する係合面が設けられ、
前記固定片、及び前記係合面が前記器具本体の外側に凸形状の円弧状である、
ことを特徴とする照明器具。
【請求項２】
前記係合面は、９０度を超える中心角の前記円弧状である、
ことを特徴とする請求項１に記載の照明器具。
【請求項３】
前記固定片が前記器具本体の外側からネジ止めされる、ことを特徴とする請求項１または２に記載の照明器具。
【請求項４】
前記固定片、及び前記係合面の一方には、前記ネジ止めの複数のネジ孔が設けられ、他方には、複数の前記ネジ孔に亘って延びる長孔が設けられ、
前記固定片、及び前記係合面の各々の接触面には、互いに歯合する凹凸部が設けられ、
前記固定片、及び前記係合面のうちの前記ネジ孔が設けられた方は、前記凹凸部が形成された領域の前記スライド移動方向の長さが、他方よりも短い、
ことを特徴とする請求項１〜３のいずれかに記載の照明器具。
【発明の詳細な説明】
【技術分野】
【０００１】
本発明は、照明器具に関する。
【背景技術】
【０００２】
器具本体と、この器具本体を支持する支持部材とを備え、支持部材が支柱の先端に結合される照明器具が知られている。支持部材が器具本体に回転可能に連結されることで、器具本体の取付角度が調整可能な照明器具も知られている（例えば、特許文献１〜３参照）。また、支持部材が上下反転姿勢で器具本体に取付可能に構成され、支持部材の取付姿勢に応じて器具本体の取付角度が可変される構造も知られている（例えば、特許文献４参照）。
【０００３】
特許文献１、及び２では、支持部材が器具本体の外面にネジ止め固定されている。このため、ネジを緩めた拍子に支持部材と器具本体との結合が解けると、器具本体は、支柱の内部を通って器具本体の内部で結線された配線に支持された状態なり、器具本体の支持が不安定になる。
これに対して、特許文献３、及び４によれば、支持部材が器具本体の内部に設けられているので、支持部材が器具本体と外面に固定される構造に比べて、両者の結合は解け難くなる。
【先行技術文献】
【特許文献】
【０００４】
【特許文献１】実用新案登録第３１７６５３２号公報
【特許文献２】特開２０１５−８８３０８号公報
【特許文献３】中国特許出願公開第１０４８７９７１８号明細書
【特許文献４】特開２０１４−５９９８３号公報
【発明の概要】
【発明が解決しようとする課題】
【０００５】
ところで、支柱には、アーム型、及びポール型の２つのタイプがある。
しかしながら、従来の照明器具は、支柱がいずれのタイプであるかにかかわらずに、共通の支持部材を用いて器具本体を角度調整に支柱に取り付けられる構成ではなかった。
【０００６】
本発明は、アーム型、及びポール型のいずれのタイプの支柱であっても、共通の支持部材を用いて角度調整可能に取り付けられる照明器具を提供することを目的とする。
【課題を解決するための手段】
【０００７】
上記目的を達成するために、本発明は、支柱の先端部に取り付けられる支持部材と、前記支持部材に支持される器具本体と、を有し、前記支持部材を前記器具本体に収めた照明器具において、前記支持部材は、前記器具本体に固定される固定片を備え、前記器具本体の内には、前記器具本体の後端面から底面に亘って延び、前記固定片がスライド移動する係合面が設けられ、前記固定片、及び前記係合面が前記器具本体の外側に凸形状の円弧状である、ことを特徴とする。
【０００８】
本発明は、上記照明器具において、前記係合面は、９０度を超える中心角の前記円弧状である、ことを特徴とする。
【０００９】
本発明は、上記照明器具において、前記固定片が前記器具本体の外側からネジ止めされる、ことを特徴とする。
【００１０】
本発明は、上記照明器具において、前記固定片、及び前記係合面の一方には、前記ネジ止めの複数のネジ孔が設けられ、他方には、複数の前記ネジ孔に亘って延びる長孔が設けられ、前記固定片、及び前記係合面の各々の接触面には、互いに歯合する凹凸部が設けられ、前記固定片、及び前記係合面のうちの前記ネジ孔が設けられた方は、前記凹凸部が形成された領域の前記スライド移動方向の長さが、他方よりも短い、ことを特徴とする。
【発明の効果】
【００１１】
本発明によれば、アーム型、及びポール型のいずれのタイプの支柱であっても、共通の支持部材を用いて角度調整可能に取り付けられる。
【図面の簡単な説明】
【００１２】
【図１】本発明の実施形態に係る照明器具の構成を、アーム型の支柱への取付状態とともに示す図である。
【図２】器具本体の後端の側の内部構成を示す斜視図である。
【図３】器具本体の後端の側の断面図である。
【図４】器具本体の後端の側の分解図である。
【図５】アーム型の支柱への照明器具の取付状態を示す図である。
【図６】器具本体の後端の側の分解図である。
【図７】器具本体の後端の側の内部構成を示す斜視図である。
【図８】本発明の変形例に係る器具本体の後端の側の断面図である。
【発明を実施するための形態】
【００１３】
以下、図面を参照して本発明の実施形態について説明する。
図１は、本実施形態に係る照明器具１の構成を示す斜視図である。
照明器具１は、屋外に設置して、例えば道路照明として用いることができる器具である。同図に示すように、照明器具１は、器具本体１０を備え、器具本体１０が、道路脇、街路脇、駐車場、公園などの屋外に立設された支柱２の先端部２Ａに支持させて設置される。同図に示す支柱２は、地面等に立設された柱の先端部２ＡがＬ字状に略水平に曲がった、いわゆるアーム型である。器具本体１０は、平面視略矩形状を成し、被照射対象の道路等からみた後端１０Ａが支柱２に取り付けられて支持される。
【００１４】
図２は、器具本体１０の後端１０Ａの側の内部構成を示す斜視図である。図３は、器具本体１０の後端１０Ａの側の断面図である。図４は、器具本体１０の後端１０Ａの側の分解図である。
これらの図に示すように、器具本体１０の内部には、後端１０Ａの側に、クランプ５を収めるクランプ室２１が設けられている。クランプ５は、支柱２に取り付けられた状態で器具本体１０を支持する支持部材である。本実施形態では、クランプ５がクランプ室２１に収められた状態で、器具本体１０の外側から４本のネジ３０（図５）によって固定されている。
【００１５】
本実施形態のクランプ５は、円筒状の筒部５０と、一対の固定片５２と、を備えている。
筒部５０は、支柱２の先端部２Ａが挿入される部材である。器具本体１０の後端１０Ａには、図４に示すように、ノックアウトホールによって形成された筒部挿入孔６０が設けられている。この筒部挿入孔６０には、クランプ室２１の内側から筒部５０の端部５０Ａが挿入され、器具本体１０の外側に突出し、この端部５０Ａから支柱２の先端部２Ａが挿入される。
筒部５０の外周面には、複数のボルト孔５４が形成されており、それぞれのボルト孔５４に挿入されたボルトによって、支柱２の先端部２Ａと筒部５０とが締結される。
【００１６】
また筒部５０の外周面には、筒部５０の中心軸方向に沿って延びた凸条５５が形成されている。凸条５５が設けられることで、ボルト取付のための強度アップが図られる。一方、筒部挿入孔６０には、凸条５５を受ける凹部５７が設けられている。ネジ３０に加え、これら凸条５５、及び凹部５７の係合によっても、中心軸周りにおける筒部５０の姿勢（方向）が規定される。
【００１７】
固定片５２は、クランプ５を器具本体１０にボルト止めによって器具本体１０に固定する部位である。固定片５２は、筒部５０を挟む両側のそれぞれに設けられている。図４に示すように、クランプ室２１には、その後端面６３から底面６５に延びる一対の係合面５８が形成されている。これら係合面５８に固定片５２が係合する。
【００１８】
固定片５２には、複数のネジ孔５９が形成されており、また、係合面５８には長孔６１が形成されている。長孔６１は、固定片５２の各ネジ孔５９に亘って延びており、この長孔６１によって器具本体１０の外側にネジ孔５９のそれぞれが露出する。これにより、クランプ室２１を開かなくとも、器具本体１０の外側から長孔６１を通してネジ孔５９の各々にネジを挿通して固定片５２と係合面５８を締結し、また、締結を緩めたりできる。
【００１９】
本実施形態では、固定片５２が係合面５８をスライド移動し、このスライド移動によって器具本体１０の取付角度が可変されるように構成されている。
【００２０】
詳述すると、固定片５２、及び係合面５８のそれぞれは、図３に示すように、側面視円弧状を成している。固定片５２、及び係合面５８が描く円弧は、器具本体１０の内に設定された回転中心Ｏを中心とした所定半径の円６８のうち、器具本体１０の後端１０Ａの側の一部である。回転中心Ｏは取付角度調整時の回転中心である。
固定片５２が係合面５８の円６８の円弧に沿ってスライド移動することで、器具本体１０が回転中心Ｏを中心として回転する。この回転により、支柱２の先端部２Ａの軸方向に対し器具本体１０の取付角度（傾斜角度）が可変し、角度調整可能になる。
【００２１】
本実施形態の照明器具１では、固定片５２と係合面５８が互いに接触する面内に歯合構造が形成されている。
具体的には、図４に示すように、固定片５２には、係合面５８と接触する上記円弧状の面内にクランプ側凹凸部７０が形成されている。一方、係合面５８には固定片５２と接触する上記円弧状の面内に本体側凹凸部７２が形成されている。
【００２２】
これらクランプ側凹凸部７０、及び本体側凹凸部７２は互いに歯合し、これらによって歯合構造が形成される。そして器具本体１０の取付角度の調整においては、クランプ側凹凸部７０、及び本体側凹凸部７２との歯合位置を可変することで調整可能になる。
【００２３】
本実施形態では、クランプ側凹凸部７０と本体側凹凸部７２とで、円弧の範囲（すなわちスライド移動の範囲）に占める長さが異なっている。具体的には、長孔６１が形成されている係合面５８の本体側凹凸部７２の長さが、ネジ孔５９が形成されている固定片５２のクランプ側凹凸部７０よりも短くなっている。
この構成により、器具本体１０の鋳造が容易となり、またコストが抑えられる。すなわち、器具本体１０の内側に比較的長い凹凸部を設けようとすると、器具本体１０の鋳造において、アンダーカット処理が必要な部分が生じ、内側へスライドする金型の作成が必要になって、製造コストが高くなってしまう。一方、クランプ５の鋳造であっても、比較的長い凹凸部が設けられる場合、スライドする金型が必要になるものの、器具本体１０の内側に長い凹凸部を形成するよりも、コストはかからない。
【００２４】
ここで、支柱２には、アーム型の他にも、ポール型のものが知られている。図５に示すように、ポール型の支柱１０２では、照明器具１の底部に、支柱１０２の先端部１０２Ａが挿入されて支持される。本実施形態の照明器具１では、アーム型の場合と同じクランプ５を用いてポール型の支柱１０２に照明器具１を取付可能になっている。
【００２５】
すなわち、図３に示すように、固定片５２、及び係合面５８が描く円弧、すなわち固定片５２がスライド移動する箇所が、器具本体１０の後端１０Ａの外側に向かって凸状に形成されている。この構成により、図６に示すように、クランプ５を、その筒部５０の中心軸が鉛直方向を向き、支柱１０２の先端部１０２Ａを受ける端部５０Ａが下になるように立て、なおかつ、ボルト孔５４をクランプ室２１の内部の側に向けた状態にしても、図７に示すように、クランプ５の固定片５２を、器具本体１０の側の係合面５８に係合させることができる。さらに、これにより、固定片５２を係合面５８に沿ってスライド移動させ、器具本体１０の取付角度も変更可能できる。
【００２６】
このように、本実施形態によれば、次のような効果を奏する。
すなわち、本実施形態の照明器具１では、器具本体１０の内には、器具本体１０の後端面６３から底面６５に亘って延び、クランプ５の固定片５２がスライド移動する係合面５８が設けられている。そして、固定片５２、及び係合面５８が、器具本体１０の取付角度調整時の回転中心Ｏを中心とした円６８の一部の円弧状であり、かつ器具本体１０の外側に凸形状である。
これにより、クランプ５を９０度だけ回転させて、クランプ５の固定片５２を係合面５８に係合させることで、アーム型の支柱２、及びポール型の支柱１０２のいずれにも取付けることができ、かつ器具本体１０の取付角度の調整もできる。
【００２７】
また本実施形態の照明器具１では、クランプ５の固定片５２が器具本体１０の外側からネジ止めされている。
これにより、器具本体１０のクランプ室２１を開かずとも、ネジを緩めるだけで、クランプ５をスライド移動させて器具本体１０の取付角度を簡単に調整できる。また、クランプ５が器具本体１０の内部に設けられているので、ネジが外れたとしても、クランプ５が器具本体１０から脱落することもない。
【００２８】
また本実施形態の照明器具１では、クランプ５の固定片５２には、ネジ止めの複数のネジ孔５９が設けられ、器具本体１０の係合面５８には、これらの複数のネジ孔５９に亘って延びる長孔６１が設けられている。また固定片５２、及び係合面５８の各々の接触面には、互いに歯合するクランプ側凹凸部７０、及び本体側凹凸部７２が設けられている。そして、本体側凹凸部７２は、その凹凸部が形成されている領域のスライド移動方向の長さが、クランプ側凹凸部７０よりも短くなっている。
この構成により、器具本体１０の鋳造が容易となり、またコストが抑えられる。
【００２９】
なお、上述した実施形態は、あくまでも本発明の一態様の例示であり、本発明の要旨の範囲において任意に変形、及び応用が可能である。
【００３０】
例えば、図８に示すように、係合面５８が、概ね１８０度の中心角の円弧状（すなわち半円弧状）まで延びていてもよい。これにより、クランプ５を９０度だけ回転させるだけで、アーム型の支柱２、及びポール型の支柱１０２のいずれにも同じクランプ５を用いて角度調整可能に取り付けることができる。
なお、係合面５８に代えて、クランプ側凹凸部７０が、概ね１８０度の中心角の円弧状（すなわち半円弧状）まで延びていてもよい。
【００３１】
また、照明器具１では、クランプ５を外側からネジ止めする構成としたが、これに限らず、器具本体１０の内側からネジ止めしてもよい。この場合において、固定片５２に代えて係合面５８に、ネジ止めの複数のネジ孔５９を設け、固定片５２には長孔６１を設けてもよい。また、固定片５２に長孔６１が設けられた場合は、クランプ側凹凸部７０のスライド移行方向の領域の長さが本体側凹凸部７２より短くなる。
【００３２】
本発明は、支柱２、１０２に取り付けられる任意の照明器具に適用可能である。
【符号の説明】
【００３３】
１  照明器具
２、１０２  支柱
２Ａ、１０２Ａ  先端部
５  クランプ（支持部材）
１０  器具本体
１０Ａ  後端
２１  クランプ室
５０  筒部
５０Ａ  端部
５２  固定片
５８  係合面
５９  ネジ孔
６０  筒部挿入孔
６１  長孔
６３  後端面
６５  底面
７０  クランプ側凹凸部
７２  本体側凹凸部
Ｏ  回転中心
【図１】
2018137045.tif 000003
【図２】
2018137045.tif 000004
【図３】
2018137045.tif 000005
【図４】
2018137045.tif 000006
【図５】
2018137045.tif 000007
【図６】
2018137045.tif 000008
【図７】
2018137045.tif 000009
【図８】
2018137045.tif 000010